(57)【特許請求の範囲】
【請求項１】
４つの側面をもち、前記側面のなかで１つの側面の高さが低くなっている四角形状のシャーシアングルと、前記シャーシアングル内に収納され高周波回路を搭載した基板と、接合用爪によって前記シャーシアングルにはめ込まれているシールド蓋とから成る高周波ユニットにおいて、
前記シャーシアングルの１つの側面に隣接する他の側面の前記基板より高い位置にある一部を前記１つの側面側に切り起こして前記接合用爪と係合する係止部とし、
前記１つの側面は一端に前記シールド蓋に接合される部分を有し、他端に前記他の側面からの前記係止部が設けられていることを特徴とする高周波ユニット。
【請求項２】
前記シャーシアングルの１つの側面が他の側面より低いことにより前記１つの側面側に開口部が形成されており、前記開口部から前記基板の一部を外部との接続部として外部に突出させたことを特徴とする請求項１に記載の高周波ユニット。
【請求項３】
４つの側面をもつ四角形状のシャーシアングルと、高周波回路を搭載し幅が第１の幅である四角形から１つの角の部分が四角形に切り落とされてくぼみが設けられた形状を有し幅が前記第１の幅より狭い第２の幅となっている部分を外部との接続部とした基板と、接合用爪によって前記シャーシアングルにはめ込まれているシールド蓋とから成り、前記シャーシアングルの側面のうち１つの側面はその一端が他の側面の高さと同じ第１の高さになっているとともに前記一端以外は前記第１の高さより低い第２の高さになっており、前記シャーシアングル内で前記基板が前記第１の高さと前記第２の高さの間に配設されて前記くぼみが前記シャーシアングルの前記一端とかみ合い、前記接続部が前記１つの側面と前記１つの側面の端部に隣接する２つの側面との間に形成された開口部から外部に突出しており、前記一端で前記基板より高い位置に前記シールド蓋に接合される部分が設けられている高周波ユニットにおいて、
前記１つの側面の第２の高さになっている部分に隣接する側面の前記基板より高い位置にある一部を前記１つの側面側に切り起こして前記接合用爪と係合する係止部としたことを特徴とする高周波ユニット。
【発明の詳細な説明】
【０００１】
【発明の属する技術分野】
本発明は高周波信号を処理する高周波ユニットに関するものである。
【０００２】
【従来の技術】
高周波ユニットとしてＲＦ（高周波）モジュレータを例にとって説明する。ＲＦモジュレータはＡＶ（Audio-Visual）入力の無いテレビ受信機のために、ＶＴＲ（ビデオテープレコーダ）やＢＳ（衛星放送）レシーバ等から出力される映像信号及び音声信号を、アンテナで受信されるテレビジョン放送と同じ形式の高周波信号に変換するユニットであり、簡易放送局の役目をはたすものである。ＲＦモジュレータは当然高周波信号を処理する高周波回路を有しているが、その回路構成と動作については後述する発明の実施の形態で説明する。
【０００３】
また、ＲＦモジュレータは高周波信号を周波数変換するために局部発振回路を有している。この局部発振回路の発振により空中に放射される信号をユニットの外部に出さないようするために、また、外部からの妨害波によってＲＦモジュレータが影響を受けないようにするために、高周波回路を搭載した基板は金属製のシャーシアングルに収納され、少なくとも１枚の金属製のシールド蓋によって外部と遮蔽されている。
【０００４】
図４はＲＦモジュレータのシールド蓋３２の斜視図である。図５は従来のＲＦモジュレータのシャーシアングル３１の斜視図である。図５において、２５は受信した高周波信号を処理する高周波回路を搭載したチップマウント基板（図５ではその輪郭が点線で示されている）であり、プリント配線されている。
【０００５】
１ａは他の側面板１ｂ、１ｃ、１ｄよりも低い高さの側面板である。側面板１ａが他の側面板１ｂ、１ｃ、１ｄよりも低いことに伴い、側面板１ａの上方に開口部３０が形成されており、この開口部３０からチップマウント基板２５の一部分が接続部２５ａとしてユニットの外部に出ている。この接続部２５ａには、外部からの電源の入力や比較的低周波の映像信号や音声信号や搬送波信号の入力のための配線を設けている。側面板１ａは側面板１ｄとは側面板１ｄの上端部から下端部まで接している。側面板１ａは側面板１ｂとは開口部３０によって側面板１ｂの上端部とは接しておらず、下端部から上端部への途中までで接している。１ｔはシールド蓋３２の爪１ｆ（図４参照）が接合される部分である。
【０００６】
５はアンテナで受信した高周波信号を入力するための入力端子であり、側面板１ｄに設けられている。９は高周波回路で処理された高周波信号を出力するための出力端子であり、側面板１ｄに設けられている。シャーシアングル３１は側面板１ａ、１ｂ、１ｃ、１ｄでチップマウント基板２５の四方を囲むことで、チップマウント基板２５を収納している。
【０００７】
図４において、１ｅ〜１ｉは平板のシールド蓋３２の端部を折り曲げ加工することにより設けられたシャーシアングル３１との接合用の爪である。爪１ｅはシールド蓋３２がシャーシアングル３１にはめ込まれたときに側面板１ａ（図５参照）のつくる平面上に平面部分が位置するように設けられている。爪１ｆはシールド蓋３２がシャーシアングル３１にはめ込まれたときに側面板１ａの部分１ｔに接合する位置に設けられている。
【０００８】
反対側の３つの爪１ｇはシールド蓋３２がシャーシアングル３１にはめ込まれたときに側面板１ｃ（図５参照）に接する位置に設けられている。４つの爪１ｈはシールド蓋３２がシャーシアングル３１にはめ込まれたときに側面板１ｂ（図５参照）に接する位置に設けられている。３つの爪１ｉはシールド蓋３２がシャーシアングル３１にはめ込まれたときに側面板１ｄ（図５参照）に接する位置に設けられている。
【０００９】
図６はシールド蓋３２がシャーシアングル３１に取り付けられた状態を示す図である。側面板１ａの部分１ｔに爪１ｆが接触し、側面板１ｃに爪１ｇが接触している。爪１ｆ、１ｇによってシールド蓋３２はシャーシアングル３１を側面板１ａと１ｃから挟み込んでいる。図示しないが、爪１ｈと爪１ｉによってシールド蓋３２はシャーシアングル３１を側面板１ｂと１ｄから挟み込んでいる。このようにシールド蓋３２はシャーシアングル３１と電気的及び機械的に接触している状態となる。
【００１０】
図７は基板２５の斜視図である。基板２５はシャーシアングル３１の側面板１ａにシールド蓋３２の爪１ｆ（図４参照）に接合される部分１ｔを設けるために、幅Ｗ１である四角形から角の部分２５ｃが四角形に切り落とされてくぼみが設けられた形状をしている。基板２５の他方の角の部分２５ｂは側面板１ａにシールド蓋３２の爪１ｅ（図４参照）に接合される部分が設けられていないので、切り落とされていない。Ｗ２は基板２５の接続部２５ａの幅であり、角の部分２５ｃに設けられたくぼみによって幅Ｗ１より狭くなっている。
【００１１】
図９は上記従来のシャーシアングル３１の展開図である。シャーシアングル３１は１枚のシールド板を折り曲げ加工することにより形成される。側面板１ｂ、１ｃはそれぞれ矢印Ｂ、Ｃのように立ち上げられ、側面板１ｃに設けられた突起部４０は側面板１ｂに設けられた開口部４１にはめ込まれる。側面板１ｄは矢印Ｄのように立ち上げられ、側面板１ｃに設けられた突起部４２は側面板１ｄに設けられた開口部４３にはめ込まれる。
【００１２】
側面板１ａは矢印Ａのように立ち上げられ、側面板１ａに設けられた突起部４４が側面板１ｂに設けられた開口部４５にはめ込まれる。側面板１ａに設けられた突起部４６は側面板１ｄに設けられた開口部４７にはめ込まれる。４８は入力端子５（図５参照）を設けるために開けられた円形の穴である。４９は出力端子９を設けるために開けられた円形の穴である。
【００１３】
５０、５１、５２はシャーシアングル３１内部を４部屋に仕切るための仕切り板であり、それぞれ矢印Ｅ、Ｆ、Ｇのように立ち上げられる。シャーシアングル３１内部において仕切り板５０〜５２は基板２５（図５参照）にはめ込まれているので、仕切り板５０〜５２は各部屋から他の部屋への妨害波を遮蔽する。
【００１４】
【発明が解決しようとする課題】
ところで、図７に示す基板２５の形状では、シャーシアングル３１の側面板１ａにシャーシ蓋３２の爪１ｅに接合する部分を設けることができないので、基板２５を図８に示すような形状とすることで爪１ｅに接合する部分１ｕを設けることが考えられる。この図８では、基板２５の両方の角が切り落とされたような形状となっているので、爪１ｅ、１ｆにそれぞれ接合される部分１ｕ、１ｔを側面板１ａに設けることができる。
【００１５】
ところで、近年、ＲＦモジュレータの小型化が進み、これにともないシャーシアングル３１についても小型化が進んでいるが、図８に示す基板２５の形状では、基板２５の両方の角が切り落とされたようになっているので、接続部２５ａの幅Ｗ２が狭くなり、その結果、接続部２５ａに設けられる各種の入力端子の間隔が狭くなり、それらの入力端子を電気的に分離することが困難となる。
【００１６】
そこで、従来では、基板２５は図７に示すように、側面板１ａは爪１ｆとは部分１ｔで接合されるが、爪１ｅとは接合されることがないようにした形状とすることで、幅Ｗ２を広くして接続部２５ａの各種の入力端子の間を電気的に分離することが行われていた。したがって、側面板１ａに対してシールド蓋３２は１つの爪１ｆだけで固定されているので不安定であった。
【００１７】
このため、図６に示すようにシールド蓋３２に外部から与えられる力Ｐや、爪１ｇによって力Ｐと同じ方向にシールド蓋３２を引き付ける力に対して爪１ｆだけでは対抗できなくなり、シールド蓋３２がシャーシアングル３１からずれてしまう。このずれによりシールド蓋３２がシャーシアングル３１と電気的に接触することができなくなり、シールド蓋３２とシャーシアングル３１との間に電位差が生じることがある。シールド蓋３２とシャーシアングル３１が同電位に保たれていない場合には、ＲＦモジュレータは性能的に不安定になるという問題があった。
【００１８】
本発明は上記課題を解決するもので、シールド蓋がシャーシアングルからずれることがないようにした高周波ユニットを提供することを目的とする。
【００１９】
【課題を解決するための手段】
上記目的を達成するために、本発明では、４つの側面をもち、前記側面のなかで１つの側面の高さが低くなっている四角形状のシャーシアングルと、前記シャーシアングル内に収納され高周波回路を搭載した基板と、接合用爪によって前記シャーシアングルにはめ込まれているシールド蓋とから成る高周波ユニットにおいて、前記シャーシアングルの１つの側面に隣接する他の側面の前記基板より高い位置にある一部を前記１つの側面側に切り起こして前記接合用爪と係合する係止部とし、前記１つの側面は一端に前記シールド蓋に接合される部分を有し、他端に前記他の側面からの前記係止部が設けられている。
【００２０】
このような構成によると、シールド蓋の接合用爪と係合する係止部が高さの低い１つの側面に隣接する他の側面の基板より高い位置にある一部をその１つの側面側に切り起こすことによって設けられているので、シャーシアングルにはめ込まれたシールド蓋が外部からの衝撃によって機械的にずれてしまうのが防止される。これにより、シールド蓋はシャーシアングルと電気的に接続された状態に維持されるので、シールド蓋とシャーシアングルとの間に電位差が生じなくなり、高周波ユニットの性能も安定する。また、高さの低い１つの側面の一端にシールド蓋に接合される部分が設けられ、他端に他の側面からの係止部が設けられているので、シールド蓋はその１つの側面の両端で接合されるようになり、シールド蓋とシャーシアングルとの接続が安定する。
【００２３】
また、本発明では、上記構成の発明において、前記シャーシアングルの１つの側面が他の側面より低いことにより前記１つの側面側に開口部が形成されており、前記開口部から前記基板の一部を外部との接続部として外部に突出させている。
【００２４】
このような構成によると、開口部から基板の一部が接続部として外部に突出しているので、電源入力や信号入力等のための配線を接続部に設けることができる。
【００２５】
また、本発明では、４つの側面をもつ四角形状のシャーシアングルと、高周波回路を搭載し幅が第１の幅である四角形から１つの角の部分が四角形に切り落とされてくぼみが設けられた形状を有し幅が前記第１の幅より狭い第２の幅となっている部分を外部との接続部とした基板と、接合用爪によって前記シャーシアングルにはめ込まれているシールド蓋とから成り、前記シャーシアングルの側面のうち１つの側面はその一端が他の側面の高さと同じ第１の高さになっているとともに前記一端以外は前記第１の高さより低い第２の高さになっており、前記シャーシアングル内で前記基板が前記第１の高さと前記第２の高さの間に配設されて前記くぼみが前記シャーシアングルの前記一端とかみ合い、前記接続部が前記１つの側面と前記１つの側面の端部に隣接する２つの側面との間に形成された開口部から外部に突出しており、前記一端で前記基板より高い位置に前記シールド蓋に接合される部分が設けられている高周波ユニットにおいて、前記１つの側面の第２の高さになっている部分に隣接する側面の前記基板より高い位置にある一部を前記１つの側面側に切り起こして前記接合用爪と係合する係止部としている。
【００２６】
このような構成によると、基板のくぼみにシャーシアングルの１つの側面の一端がかみ合うことで、その１つの側面の一端で基板より高い位置にシールド蓋に接合される部分が設けられ、他端では第２の高さになっている部分に隣接する側面の基板より高い位置にある一部をその１つの側面側に切り起こしてシールド蓋の接合用爪と係合する係止部としているので、シャーシアングルにはめ込まれているシールド蓋が外部からの衝撃によって機械的にずれることがないようになっている。
【００２７】
【発明の実施の形態】
以下、本発明の一実施形態について説明する。図１はＲＦモジュレータのブロック図である。なお、テレビジョン放送の形式は各国によって様々なものがあり、ＲＦモジュレータはその形式に合致した変調を行う必要がある。ここではＲＦモジュレータは映像信号をＡＭ変調（振幅変調）し、音声信号をＦＭ変調（周波数変調）するもので説明する。
【００２８】
１はＲＦモジュレータである。２はテレビジョン放送受信アンテナである。３はテレビ受信機のアンテナ入力端子である。４はＶＴＲである。ＲＦモジュレータ１において、５はテレビジョン放送受信アンテナ２で受信した信号を入力するアンテナ入力端子である。６はアンテナ入力端子５に入力された信号から不要な低域成分を除去する高域通過フィルタである。
【００２９】
７は高域通過フィルタ６を通過した信号を増幅する増幅回路である。８は増幅回路７で増幅された信号と、後述のバッファ増幅回路２２で増幅された信号を混合する混合器８である。９は混合器８で混合された信号を出力するためのテレビ出力端子である。テレビ出力端子９より出力された信号はテレビ受信機のアンテナ入力端子３に送られる。
【００３０】
１０はＶＴＲ４から送られてくる映像信号を入力する映像信号入力端子である。１１はＲＦモジュレータ１の動作を安定させるために映像信号入力端子１０に入力される映像信号の直流レベルをＲＦモジュレータ１内部の直流レベルに合わせるビデオクランプ回路である。
【００３１】
１２はビデオクランプ回路１１でクランプされた映像信号が過大な信号であるときに後段のＡＭ変調回路１３で過変調とならないようにするために、映像信号のクリップを行うホワイトクリップ回路である。なお、過変調となると、映像信号と音声信号を混合した後に、その混合された信号からテレビ受信機で音声を再生したときに、バズ音としてのノイズが混入する。ＡＭ変調回路１３はホワイトクリップ回路１２でクリップされた映像信号を搬送波信号入力端子１８より入力される搬送波信号で振幅変調を行う。
【００３２】
１４はＶＴＲ４から送られてくる音声信号を入力する音声信号入力端子である。１５は雑音を軽減し、音声Ｓ／Ｎを改善する目的で、低域に比べ高域を強調する周波数特性を音声信号にもたせるプリエンファシス回路である。テレビ受信機はプリエンファシス回路１５と逆の周波数特性をもつディエンファシス回路を備えており、このディエンファシス回路で音声信号をフラットな周波数特性に戻す。
【００３３】
１６はプリエンファシス回路で高域が強調された音声信号を増幅する音声用増幅回路である。１７は音声用増幅回路１６で増幅された音声信号を搬送波信号入力端子１８より入力される搬送波信号で周波数変調するＦＭ変調回路である。搬送波信号入力端子１８はＶＴＲ４から送られてくる搬送波信号を入力する。
【００３４】
１９はＡＭ変調回路１３で振幅変調された映像信号とＦＭ変調回路１７で周波数変調された音声信号を混合し、所定の周波数の高周波信号に周波数変換を行う周波数変換回路である。周波数変換回路１９において、２１は局部発振回路である。２０は局部発振回路２１より発振される信号と映像信号と音声信号を混合するミキサ回路である。バッファ増幅回路２２は周波数変換回路１９で混合され周波数変換された高周波信号を増幅する。なお、ＲＦモジュレータ１において、高周波信号を処理する高周波回路は高域通過フィルタ６と増幅回路７と混合器８と周波数変換回路１９とバッファ増幅回路２２である。
【００３５】
ＲＦモジュレータ１はテレビジョン放送受信アンテナ２とテレビ受信機アンテナ入力端子３の間に介在しており、ＶＴＲ４から入力される映像信号と音声信号をテレビジョン放送と同じ形式の高周波信号に変換して、混合器８でアンテナ２で受信した信号に混合してテレビ出力端子９からテレビ受信機アンテナ入力端子３に出力する。
【００３６】
したがって、テレビ受信機にＶＴＲ４から出力される映像信号や音声信号を入力するＡＶ入力が無い場合であっても、テレビ受信機はＶＴＲ４からの映像信号と音声信号を再生することができるようになる。なお、ＲＦモジュレータ１はＶＴＲ４の他にＢＳレシーバ等のように映像信号と音声信号を出力する装置にも使用される。
【００３７】
ＲＦモジュレータ１のシールド蓋は上記従来のシールド蓋３２（図４）と同一で、すでに説明したとおりである。図２は本実施形態のＲＦモジュレータ１のシャーシアングル３１の斜視図である。図２において上記従来のシャーシアングル３１（図５）と同一部分については同一符号を付して説明を省略する。基板２５は上記従来の基板２５（図７）と同一で、すでに説明したとおりである。
【００３８】
本実施形態では、側面板１ｂの基板２５より高い位置にある一部を側面板１ａ側に切り起こすことによって係止部２６が設けられているところが、上記従来のシャーシアングル３１（図５）と異なる。係止部２６は側面板１ａのつくる平面上に平面部分をもつように形成されている。係止部２６は基板２５より上方に設けられている。これにより、係止部２６は側面板１ａがチップマウント基板２５で遮られて側面板１ｂの上端部まで設けられていないのを補い、シールド蓋３２にとって側面板１ａがその箇所に存在するのと同様の役割を担っている。
【００３９】
係止部２６がシールド蓋３２の爪１ｅ（図４参照）と係合することになる。係止部２６は爪１ｅと同等の大きさで形成されているので、基板２５や外部と接続する配線の妨げにならない。他のシールド蓋３２の爪１ｆ〜１ｉ（図４参照）については従来の技術で説明したようにシャーシアングル３１の側面板１ａ〜１ｄにそれぞれ接触するようにシールド蓋３２がシャーシアングル３１に取り付けられる。
【００４０】
したがって、本実施形態では図６に示したように外部から力Ｐがシールド蓋３２に与えられても爪１ｅと１ｆの２箇所でこの力を支えることができるので、シールド蓋３２がシャーシアングル３１からずれてしまうことが防止できる。また、爪１ｇによって力Ｐと同じ方向にシールド蓋３２を引き付ける力にも爪１ｅ、１ｆで対抗できるようになり、シールド蓋３２がシャーシアングル３１からずれてしまうことがない。さらに、シャーシアングル３１とシールド蓋３２が接触しているので、シールド蓋３２がシャーシアングル３１と同電位に保たれるようになる。シールド蓋３２とシャーシアングル３１で電位差が生じることがないので電気的性能が安定する。定量的な評価については後述する表１を参照せよ。
【００４１】
図３はシャーシアングル３１の展開図である。シャーシアングル３１は１枚のシールド板を折り曲げ加工することにより形成される。図３において図９と同一部分については同一符号を付して説明を省略する。本実施形態では、上記従来技術によるシャーシアングル３１（図９）に、さらに側面板１ｂに切り抜きにより係止部２６を設け、係止部２６を矢印Ｊのように起こしてシャーシアングル３１が組み立てられる。
【００４２】
このようにシャーシアングル３１は１枚の板で形成されているため、シャーシアングル３１の全体は電気的に接続された状態となる。そのため、シャーシアングル３１全体で電位差が生じる部分がなくなる。係止部２６もシャーシアングル３１と同電位となる。そして、係止部２６にシールド蓋３２の爪１ｅが接触し、他の爪１ｆ〜１ｉが側面板１ａ〜１ｄに接触しているのでシールド蓋３２もシャーシアングル３１と同電位となる。
【００４３】
表１は上記従来技術によるシャーシアングル３１（図５）で遮蔽したＲＦモジュレータ１と、本実施形態のシャーシアングル３１（図２）で遮蔽したＲＦモジュレータ１を、映像変調度、映像出力レベル、微分利得、微分位相、音声Ｓ／Ｎ、アンテナ入力端子漏れ電圧について比較したデータである。
【００４４】
【表１】
0003714829.tif 000002
【００４５】
ＣＨは高周波回路で処理する信号のチャンネルである。周波数は映像搬送波の周波数である。映像搬送波周波数がずれるとテレビ受信機が選局できずに映像が映らなくなってしまう。映像変調度は映像入力信号に振幅変調をかける度合いを示すものである。入力が大きく過変調になると、テレビ受信機でバズ音が発生する。また、画面が白っぽくなる。
【００４６】
映像出力レベルはＲＦモジュレータ１から出力された映像信号の大きさを示すものである。大きくすればその信号によってテレビ受信機ではきれいな画像で見ることができるが、他の信号に妨害を与えることになる。また、大きすぎるとテレビ受信機のチューナに悪影響を与え、画像が乱れる現象が生じる。
【００４７】
微分利得はカラー放送において、様々な輝度レベルに振幅の等しい色副搬送波を加えた信号をＲＦモジュレータ１に入れ、ＲＦモジュレータ１を通過した後に輝度レベルによって色副搬送波の振幅が変化する量を示すもので、輝度レベル０を基準にとり、各輝度レベルの色副搬送波の振幅を％で示したものである。この差が大きければ各色の強さが変わる。
【００４８】
微分位相はカラー放送において、様々な輝度レベルに振幅の等しい色副搬送波を加えた信号をＲＦモジュレータ１に入れ、ＲＦモジュレータ１を通過した後に輝度レベルによって色副搬送波の位相が変化する量を示すもので、カラーバースト信号の位相を基準として、各輝度レベルの色副搬送波のずれを角度で示したものである。この角度が大きいと色がずれてしまい、色が変化してしまう。
【００４９】
音声Ｓ／Ｎは音声の検波出力とノイズ出力との比を示すものである。この比が小さいと音声ノイズが大きくなる。アンテナ入力端子漏れ電圧はＲＦモジュレータ１の局部発振回路２１からアンテナ入力端子５に漏れてくる高周波電圧を示す。このレベルが大きいと、テレビジョン放送受信アンテナ２に高周波電圧が伝わり、テレビジョン放送受信アンテナ２から放射されるために、他の機器に妨害を与えてしまう。
【００５０】
ＲＦモジュレータ１ではスペックとして映像変調度は８０±５％、映像出力レベルは７３±３ｄＢμ、微分利得０±６％、微分位相は０±６％、音声Ｓ／Ｎは４５ｄＢ以上、アンテナ入力端子漏れ電圧は４６ｄＢμ以下であることが決められている。
【００５１】
本実施形態のシャーシアングル３１が用いられている場合は、従来技術のシャーシアングル３１を用いた場合よりも、映像変調度、映像出力レベル、微分利得、微分位相、音声Ｓ／Ｎ、アンテナ信号入力端子漏れ電圧のいずれについても性能が向上し、しかもいずれもＲＦモジュレータ１のスペックで決められている基準を満たしている。
【００５２】
このように本実施形態では、側面板１ｂの一部を切り起こして係止部２６とし、シールド蓋３２の接合用爪１ｅと係合させているので、シールド蓋３２がシャーシアングル３１からずれにくくなる。そのため、シールド蓋３２とシャーシアングル３１は電気的にも接続された状態に維持されるので、シールド蓋３２とシャーシアングル３１との間に電位差が生じなくなる。
【００５３】
これにより、ＲＦモジュレータ１の性能が安定する。また、係止部２６を設けるために側面板１ｂの一部を切り抜いているが、この切り抜きによっても側面板１ｂは基板２５に搭載された高周波回路を完全に遮蔽しているため、シールド効果が損なわれることはない。
【００５４】
また、本実施形態ではＲＦモジュレータ１を製造する生産ラインの検査工程等でシールド蓋３２が外れることがない。そのため、生産ラインにおいてシールド蓋３２が外れる際に基板２５上の部品が外れたり、外部のゴミ等がシャーシアングル３１内に入り込んでオープン端子やショート端子ができたりする可能性がなくなる。これにより、製品の品質が向上する。
【００５５】
上記従来技術では検査工程が終了した後にシールド蓋３２が外れる場合があり、その場合には部品が外れたり、オープン端子やショート端子ができたりする可能性があるために、再検査を行わなければならない。従来では、これによって費用が発生する。しかし、本実施形態ではこのような事態が発生しないので製造時のコストダウンにつながる。
【００５６】
また、シールド蓋３２に設けられている爪１ｅ〜１ｉ（図４）のそれぞれについて個数や配置は任意にすることができるが、どの方向から外力が加えられてもシールド蓋３２がずれてしまうことがないようにしなければならない。
【００５７】
なお、ＲＦモジュレータ１は高周波ユニットの一例であり、それ以外にも本発明はＢＳレシーバ等のように高周波信号を処理する高周波回路を搭載した基板をシャーシアングル３１に収納し、シールド蓋３２で外部からの妨害波を遮蔽する構造の高周波ユニットに適用できる。
【００５８】
【発明の効果】
以上説明したように、本発明によれば、シールド蓋の接合用爪と係合する係止部が高さの低い１つの側面に隣接する側面の基板より高い位置にある一部をその１つの側面側に切り起こすことによって設けられているので、シャーシアングルにはめ込まれたシールド蓋が機械的にずれてしまうのが防止される。また、シールド蓋はシャーシアングルに電気的にも接続された状態に維持されるので、シールド蓋とシャーシアングルとの間に電位差が生じなくなり、高周波ユニットの性能も向上する。また、高さの低い１つの側面の一端にシールド蓋に接合される部分が設けられ、他端に他の側面からの係止部が設けられているので、シールド蓋はその１つの側面の両端で接合されるようになり、シールド蓋とシャーシアングルとの接合が安定する。
【００５９】
なお、上述の発明の実施の形態では、図７に示すような基板２５の形状を前提としていたが、第１の発明は、高さが低くなっている１つの側面の両端に隣接する２つの側面からそれぞれ基板より高い位置にある一部をその１つの側面側に切り起こして係止部を設けた構成も含み、この構成にすると基板全体の幅が接続部２５ａの幅Ｗ２でよいので、基板２５をさらに小型化できる。したがって、高周波ユニットも小型化できる。
【００６１】
また、本発明によれば、開口部から基板の一部が接続部として外部に突出しているので、電源入力や信号入力等のための配線を接続部に設けることができる。また、係止部が接続部に妨害にはならないようにすることで、接続部を大きくとることが可能である。
【００６２】
また、本発明によれば、シャーシアングルの小型化によってシャーシアングルの１つの側面の一端のみにシールド蓋と接合される部分が設けられている構成であっても、その１つの側面の第２の高さになっている部分に隣接する側面の基板より高い位置にある一部をその１つの側面側に切り起こしてシールド蓋の接合用爪と係合する係止部としているので、シャーシアングルにはめ込まれたシールド蓋が外部からの衝撃によって機械的にずれることがないようになっている。
【図面の簡単な説明】
【図１】  本発明の高周波ユニットの一実施形態であるＲＦモジュレータのブロック図。
【図２】  そのＲＦモジュレータのシャーシアングルの斜視図。
【図３】  そのシャーシアングルの展開図。
【図４】  ＲＦモジュレータのシールド蓋の斜視図。
【図５】  従来のＲＦモジュレータのシャーシアングルの斜視図。
【図６】  そのシールド蓋をそのシャーシアングルにはめ込んだ状態を示す図。
【図７】  そのＲＦモジュレータの高周波回路が搭載される基板の斜視図。
【図８】  その基板の形状を説明するための図。
【図９】  その従来のシャーシアングルの展開図。
【符号の説明】
１    ＲＦモジュレータ（高周波ユニット）
１ａ、１ｂ、１ｃ、１ｄ    側面板
１ｅ〜１ｉ    接合用爪
２    テレビジョン放送受信アンテナ
３    テレビ受信機アンテナ入力端子
４    ＶＴＲ
５    アンテナ入力端子
６    高域通過フィルタ
７    増幅回路
８    混合器
９    テレビ出力端子
１０    映像信号入力端子
１１    ビデオクランプ回路
１２    ホワイトクリップ回路
１３    ＡＭ変調回路
１４    音声信号入力端子
１５    プリエンファシス回路
１６    音声用増幅回路
１７    ＦＭ変調回路
１８    搬送波信号入力端子
１９    周波数変換回路
２０    ミキサ回路
２１    局部発振回路
２２    バッファ増幅回路
２５    チップマウント基板
２６    係止部
３０    開口部
３１    シャーシアングル
３２    シールド蓋
【図１】
0003714829.tif 000003
【図２】
0003714829.tif 000004
【図３】
0003714829.tif 000005
【図４】
0003714829.tif 000006
【図５】
0003714829.tif 000007
【図６】
0003714829.tif 000008
【図７】
0003714829.tif 000009
【図８】
0003714829.tif 000010
【図９】
0003714829.tif 000011